(57)【要約】【課題】軒樋の継ぎ目部の外側を覆う軒樋継手カバーにおいて、軒樋の前後耳部との係合部を備えていなくとも、継ぎ目部に装着した軒樋継手カバーをそのまま保持して軒樋の外側面に沿って取り付けることができるようにする。【解決手段】継手部材２で接続された軒樋１の突き合わせ端部を跨いで軒樋１の継ぎ目部に取り付けられる弾性材からなる軒樋継手カバー３の底面部３１を湾曲した形状に設けて、前面部と後面部３３間の開口幅が軒樋の前面壁と後面壁間の開口幅よりも狭くなるように成形し、前面部と後面部の間を拡幅させて軒樋の外側面に装着する。【選択図】図６
2010281108.tif 000002
【特許請求の範囲】
【請求項１】
軒樋（１）の前面壁（１２）、底面壁（１１）及び後面壁（１３）の外面に接合する前面部（３２）、底面部（３１）及び後面部（３３）を有し、継手部材（２）で接続された前記軒樋（１）の突き合わせ端部を跨いで軒樋（１）の外側面に取り付けられる弾性材からなる軒樋継手カバー（３）において、
軒樋（１）に取り付けられる前の軒樋継手カバー（３）は、その底面部（３１）の全体又は一部が湾曲し、前面部（３２）と後面部（３３）間の開口幅が軒樋（１）の前面壁（１２）と後面壁（１３）間の開口幅よりも狭くなる形状を呈し、前面部（３２）と後面部（３３）の間を拡幅させて軒樋（１）の外側面に装着される構成を有することを特徴とする軒樋カバー継手。
【請求項２】
底面部（３１）は、軒樋（１）の底面壁（１１）の外面の幅と略同じ幅（Ｄ）を有し、且つ前記底面壁（１１）の幅（Ｄ）よりも大きな寸法を半径とした円弧に沿って全体が湾曲した形状に設けてあること特徴とする請求項１に記載の軒樋継手カバー。
【請求項３】
軒樋（１）の前耳部（１２ａ）又は後耳部（１３ａ）に係合する係合部を前面部（３２）の上端又は後面部（３３）の上端に設けたことを特徴とする請求項１又は２に記載の軒樋継手カバー。
【発明の詳細な説明】
【技術分野】
【０００１】
本発明は、内継手などの継手部材で接続された軒樋の突き合わせ端部の外側を覆う軒樋継手カバーに関する。
【背景技術】
【０００２】
軒樋の端部同士を継手部材で接続する場合に、軒樋の継ぎ目部分からの漏水を防止するため、継ぎ目部の外周に軒樋継手カバーが取り付けられる。
軒樋継手カバーを取り付ける従来の軒樋継手部の態様として、例えば図９に示されるように、上継手部材１０１ａと下継手部材１０１ｂからなる内継手１０１で軒樋１００、１００の端部同士を接続し、軒樋１００の前後耳部に係合する係合部を有する軒樋継手カバー１０２を軒樋１００、１００の突き合わせ端部の外側に沿って取り付ける形態のものが知られている。また、図１０に示されるように、内継手１０３ａと外継手１０３ｂで軒樋１００、１００の端部同士を接続し、内側にコーキング材を充填する凹所を備えた軒樋継手カバー１０４を外継手１０３ｂの外側に覆い重ねて取り付け、継ぎ目部を密閉する形態のものが知られている（例えば特許文献１、２参照）。
【先行技術文献】
【特許文献】
【０００３】
【特許文献１】特開２００８−２３１７５４号公報
【特許文献２】特開２００２−６１３４９号公報
【発明の概要】
【発明が解決しようとする課題】
【０００４】
図９に示された軒樋継手カバー１０２は、その両端に軒樋１００の前後耳部に係合する係合部を備えているため、内面に接着剤を塗布した軒樋継手カバー１０２を軒樋１００の継ぎ目部に装着すれば前記係合部が前後耳部に係合して装着位置に保持され、接着剤が固まるまで軒樋継手カバー１０２を仮固定したり支えたりする必要がない。しかし、軒先に軒樋１００を取り付ける態様によっては、鼻隠しの直ぐ前で軒樋１００を支持させて軒樋１００と鼻隠しの間の空間が狭い場合に、軒樋１００の後面壁側に軒樋継手カバー１０２の端部を差し回して後耳部に係合させる作業がし難くなり、前記空間が極めて狭いときには当該カバーの取り付けが困難で使用できないこともあった。
一方、図１０に示された軒樋継手カバー１０４は、軒樋１００の後面壁と鼻隠しとの間に当該カバーの後面部を差し入れることが可能な空間が確保されていれば取り付けることができるものの、その内側に充填したコーキング材や接着剤が固まるまで軒樋継手カバー１０４を装着位置に仮固定したり支えたりしなければならない面倒があった。
【０００５】
本発明は従来技術の有するこのような問題点に鑑み、軒樋の継ぎ目部の外側を覆う軒樋継手カバーにおいて、軒樋の前後耳部との係合部を備えていなくとも、継ぎ目部に装着した軒樋継手カバーをそのまま保持して軒樋の外側面に沿って取り付けることができるようにすることを課題とする。
【課題を解決するための手段】
【０００６】
前記課題を解決するため本発明は、軒樋の前面壁、底面壁及び後面壁の外面に接合する前面部、底面部及び後面部を有し、継手部材で接続された前記軒樋の突き合わせ端部を跨いで軒樋の外側面に取り付けられる弾性材からなる軒樋継手カバーにおいて、軒樋に取り付けられる前の軒樋継手カバーは、その底面部の全体又は一部が湾曲し、前面部と後面部間の開口幅が軒樋の前面壁と後面壁間の開口幅よりも狭くなる形状を呈し、前面部と後面部の間を拡幅させて軒樋の外側面に装着される構成を有することを特徴とする。
前記構成において、底面部は、軒樋の底面壁の外面の幅と略同じ幅を有し、且つ前記底面壁の幅よりも大きな寸法を半径とした円弧に沿って全体を湾曲させて形成することができる。
【０００７】
本発明の軒樋継手カバーは、その内面に接着剤やシーリング材、コーキング材などを塗布した上で、軒樋の継ぎ目部の外周に装着して取り付けることができる。
前記の通り、軒樋継手カバーは、弾性材を用い、その底面部の全体又は一部を湾曲させることにより、前面部と後面部間の開口幅が、軒樋の前面壁と後面壁間の開口幅よりも狭くなるように成形してある。
従って、前記接着剤などを内面に塗布した軒樋継手カバーを軒樋の継ぎ目部の下方に配し、これを前面部と後面部の間を押し広げ、拡幅しつつ継ぎ目部の下側から上方へ押し込んで装着すれば、底面部と前後面部の内面がそれぞれ軒樋の底面壁と前後面壁の外面に密着して接合するとともに、拡幅変形された前後面部を元の開口幅の形状に戻そうとする復元力が当該カバーに働き、前後面部が軒樋の前後面壁の外面に圧接し、これを押圧して軒樋の前後両側を握持し、これにより軒樋継手カバーを装着位置に保持させることができる。接着剤などが固化するまで軒樋継手カバーを仮固定したり支持したりする操作は不要である。
【０００８】
軒樋に装着する際に作用する復元力と相まって軒樋への保持力を高めるため、軒樋の前耳部又は後耳部に係合する係合部を前面部の上端又は後面部の上端に設けてもよい。また、軒樋継手カバーの内面には、適量の接着剤やシーリング材などを充填可能な溝部を、好ましくは内面全体に亘って設けることが好ましい。
【０００９】
本発明の軒樋継手カバーは、外力を加えると変形し、除荷すれば復元力によって元に戻る弾性を奏するように、適宜な弾性材料、例えばポリカーボネート、塩化ビニル、ポリプロピレン、ＡＢＳ樹脂、ＡＳＡ樹脂などの合成樹脂材、ゴム材、ゴム分を含む合成樹脂材などを用い、射出成形などの適宜な製造方法により成形することができる。
軒樋継手カバーの形状は取り付ける軒樋の外形状に対応させて設定することができる。厚みは軒樋の外側に嵌めて装着可能であれば特に限定されないが、上記合成樹脂材を用いて成形する場合、厚みは１．０〜３．０ｍｍの範囲が好ましく、１．８〜２．６ｍｍの範囲であればより好ましい。軒樋継手カバーの幅は、軒樋の継ぎ目部を跨ぎ、且つ接続された両軒樋の端部外側面を適宜な幅で覆う寸法に設定することができる。
軒樋継手カバーは、前面部と後面部間の開口幅を、軒樋のそれよりも狭くなるように底面部を湾曲させて成形されるが、前記開口幅が軒樋の開口幅よりも狭くなるのであれば、底面部の全体を湾曲させても、その一部が部分的に湾曲するようにしても何れでもよい。
底面部の全体を湾曲させる場合、底面部を所定の曲率の円弧に沿って湾曲させることで、前後面部を拡幅変形したときに作用する復元力を増大させることができる。その場合、円弧の曲率半径は軒樋の底壁面の幅の１．５〜４．０倍、好ましくは２．０〜２．５倍の大きさに設定することができる。この設定については後述する。
【図面の簡単な説明】
【００１０】
【図１】本発明の一実施形態の軒樋継手カバーを内継手を用いて接続された軒樋の継ぎ目部に取り付けた状態の概略外観図である。
【図２】図１の概略側面図である。
【図３】図１に示した軒樋継手カバーの外観斜視図である。
【図４】図１に示した軒樋継手カバーの側面図である。
【図５】図４中のＶ−Ｖ線に沿った拡大切断端面図である。
【図６】（Ａ）〜（Ｅ）は図１に示した軒樋継手カバーの設計工程を説明するための図である。
【図７】（Ａ）〜（Ｄ）は図１に示した軒樋継手カバーを軒樋に取り付ける工程を断面で示した図である。
【図８】本発明の軒樋継手カバーの他の実施形態を示した図である。
【図９】従来の一例における樋継手カバーを取り付けた軒樋継手部の態様を部材を展開して示した図である。
【図１０】従来の軒樋継手カバーを取り付けた軒樋継手部の他の態様を示す概略外観図である。
【発明を実施するための形態】
【００１１】
本発明の好適な実施形態を図面を参照して説明する。
図１〜図７は本発明の一実施形態の軒樋継手カバーを示し、図中、符号１は軒樋、２は内継手、３は軒樋継手カバーをそれぞれ示している。
【００１２】
図１と図２は軒樋１、１の継ぎ目部に本形態の軒樋継手カバー３を取り付けた状態の外観と側面を示しており、これは、継手部材として前記図９に示されたものと同形態の内継手２を用いて軒樋１、１の端部同士を接続し、両軒樋１、１の突き合わせ端部の外側に軒樋継手カバー３を取り付けて継ぎ目部の接合縁を覆ったものである。
【００１３】
軒樋１は、例えば表面を塩化ビニル樹脂で覆うなどの耐蝕加工が施された、或いは耐蝕性を有する材質のものからなる長尺の鋼板を、板金加工により長手方向に沿って略Ｕ字断面形状に屈曲させてなり、図１に示されるように、平面状の底面壁１１の前端から斜め上方へ前面壁１２を、後端から略直角に後面壁１３をそれぞれ立ち上げるとともに、前面壁１２の上端に鋭角に内側へ折り返した前耳部１２ａ、後面壁１３の上端には後方へ張り出してコ字状に屈曲した後耳部１３ａを設けて形成してある。
【００１４】
内継手２は、軒樋１の底面壁１１、前面壁１２及び後面壁１３の下半部の各部内面に接合する断面形状を有する下継手部材２１と、軒樋１の後面壁１３の上半部から下継手部材２１の上半部に亘る内面に接合する断面形状を有する上継手部材２２により構成されており、端部同士を継ぎ合わせた軒樋１、１の両端部に跨って、表面に接着剤を塗布した下継手部材２１を前記両端部の内側に嵌め入れ、次いで下継手部材２１の上端と両軒樋１、１の後耳部１３ａ、１３ａとの間に上継手部材２２を押し入れることにより、下継手部材２１を両軒樋１、１の内面に接着一体化させて両軒樋１、１の端部同士を一体に接続するように設けてある。
【００１５】
軒樋継手カバー３は、ＡＳＡ樹脂を用い、射出成形により、図３及び図４に示されるように、適宜な幅の帯状の板材を略々コ字状に屈曲させた如き外形状に形成されている。
詳しくは、軒樋継手カバー３は、２．０ｍｍ程度の肉厚で形成され、その底面部３１が軒樋１の底面壁１１の外面の幅と略同じ幅を有し、且つ所定の大きさの半径の円弧に沿って湾曲してなり、その前端に軒樋１の前面壁１２の外面に接合する形状の前面部３２を屈曲させて立ち上げ、その後端に軒樋１の後面壁１３に接合する後面部３３を屈曲させて立ち上げて、前面部３２と後面部３３の上端間における開口幅Ａが、軒樋１の前面壁１２と後面壁１３の上端間の開口幅ａよりも狭くなるように形成してある（図６（Ａ）、（Ｅ）参照）。
また、軒樋継手カバー３の前面部３２の上端には軒樋１の前耳部１２ａに係合する係合部３２ａを設けてある。さらに、軒樋継手カバー３の内面には、図３及び図５に示されるように、その長手方向に両端に亘って凹溝３４、３４が並設させてあり、カバーを取り付ける際に両凹溝３４、３４内に適量の接着剤やシーリング材などを充填しておけるようになっている。
【００１６】
本形態の軒樋継手カバー３は、例えば以下の手順で設計することができる。
図６において、先ず、軒樋継手カバー３（以下、カバーと略称する）の設計にあたり、カバーを取り付ける軒樋１の形状及び寸法を特定し（同図（Ａ））、特定した軒樋１の外側面にカバーを嵌め込んだ状態のカバーの形状及び寸法を特定する（同図（Ｂ））。ここでは嵌め込んだ状態におけるカバーの底面部と前後面部をそれぞれ「底面部３１’」、「前面部３２’」、「後面部３３’」と記す。
次に、カバーの変形量、すなわち底面部３１を湾曲変形させる度合いを設定する（同図（Ｃ））。この設定は、底面部３１’と前面部３２’の屈曲交点に、底面部３１’と直交する垂線Ｘを仮定し、この垂線Ｘ上に中心を設定した仮想円弧Ｃに沿って底面部３１を湾曲させるように設定する。
ここで、カバーの設計にあたり考慮すべき事項は、材質の強度不足により破壊しないこと、鼻隠しとの隙間が狭く後面部３３’に軒樋１の後耳部１３ａとの係合部を設けることができない場合でも後面部３３’の長さ分で軒樋１を握持可能であること、軒樋継手カバー３が自身の重量で落下することがないことなどであり、これら条件を考慮した場合、仮想円弧Ｃの半径は軒樋１の底壁面１１の幅（Ｄ）の１．５〜４．０倍の範囲、好ましくは２．０〜２．５倍に設定するのが適当であり、前記材料及び肉厚でカバーを成形した場合には約２．２倍とするのが適切である。
よって、同図（Ｃ）に示されるように、底面部３１’と前面部３２’との交点から垂線Ｘに沿って距離Ｌ（＝Ｄ×２．２）だけ離れた位置に中心Ｏを設定し、これを中心とした前記交点を通る仮想円弧Ｃを設定する。
次に、前記底面壁１１の幅（Ｄ）と同じ長さを仮想円弧Ｃ上の長さに置き換え、底面部３１’と前面部３２’との交点から置換した長さ分を仮想円弧Ｃ上にとって底面部３１の湾曲形状を決定する（同図（Ｄ））。
そして、底面部３１の後端において、前記後面部３３’の長さ分だけ垂直に立ち上げて後面部３３を設定すれば、変形前は前面部３２と後面部３３間の開口幅Ａが軒樋１の前面壁１２と後面壁１３間の開口幅ａよりも狭く、且つ前面部３２と後面部３３間を弾性変形させて拡幅させれば、軒樋１の底面壁３１と前後面壁３２、３３との外面に圧密に接合させることが可能なカバーを得ることができる。
【００１７】
このように構成された軒樋継手カバー３は、内継手２で軒樋１、１の端部を接続した後、前記凹溝３４、３４に接着剤などを充填した状態で、図７（Ａ）に示されるように、軒樋１、１の継ぎ目部の下方に配し、これを同図（Ｂ）〜（Ｄ）に示されるように、前面部３２と後面部３３の間を押し広げ、拡幅変形させつつ前記継ぎ目部の下側から上方へ押し込んで装着して取り付けることができる。
継ぎ目部に装着された軒樋継手カバー３は、前面部３２上端の係合部３２ａが軒樋１の前耳部１２ａに係合し、且つ底面部３１と前後面部３２、３３の内面がそれぞれ軒樋１の底面壁１１と前後面壁１２、１３の外面に密着して接合するとともに、押し広げられた前後面部３２、３３を元の形状に復元させようとする復元力が働き、前後面部３２、３３が前後面壁１２、１３の外面を圧接しつつこれを押圧して軒樋１の前後両側を握持し、軒樋継手カバー３を外側から支えなくとも、装着位置に保持することができる。
軒樋継手カバー３は自身の弾性により軒樋１に外面に圧接して支持されるので、軒樋継手カバー３を仮固定したり支持したりする操作は不要であり、また、鼻隠しとの間隙が狭い場合でも、後耳部１３ａとの係合部位を設けることなく、取り付けることが可能である。
【００１８】
本発明の軒樋継手カバー３は、取り付ける軒樋１の外形状に対応した形状に形成することができる。例えば図８に示されるような上向きに開口したコ字状断面を呈する軒樋１に対しては、軒樋１の底面壁１１に接合する幅の湾曲した底面部３１の前後端に、前面壁１２と後面壁１３に接合する大きさの前後面部３２、３３を立ち上げることで、前面部３２と後面部３３との開口幅Ａが軒樋１の前面壁１２と後面壁１３との開口幅ａよりも狭く設定された軒樋継手カバー３を形成することができる。
【００１９】
図示した形態は、何れも軒樋継手カバー３の底面部３１の全体を湾曲させて前後面部３２、３３間が軒樋１のそれよりも狭くなるように設けたものであるが、底面部３１の一部を部分的に湾曲させて前後面部３２、３３間の開口幅が狭くなるように設けてもよい。また、軒樋１の後耳部１３ａとの係合部位を後面部３３に設けてよい。
【００２０】
なお、図示した軒樋１、内継手２である継手部材、軒樋継手カバー３の形態は一例であり、本発明は図示した形態に限定されず、他の適宜な形態に構成可能である。本発明の軒樋継手カバー３は、図１０に示すような内継手と外継手で接続した軒樋の継ぎ目部にも取り付けることができる。
【符号の説明】
【００２１】
１  軒樋、１１  底面壁、１２  前面壁、１３  後面壁、２  内継手、２１  下継手部材、２２  上継手部材、３  軒樋継手カバー、３１，３１’  底面部、３２，３２’  前面部、３３，３３’  後面部、３４  溝部
【図１】
2010281108.tif 000003
【図２】
2010281108.tif 000004
【図３】
2010281108.tif 000005
【図４】
2010281108.tif 000006
【図５】
2010281108.tif 000007
【図６】
2010281108.tif 000008
【図７】
2010281108.tif 000009
【図８】
2010281108.tif 000010
【図９】
2010281108.tif 000011
【図１０】
2010281108.tif 000012